(57)【要約】【課題】柱芯納まり構造でも胴差し納まり構造と同様のバルコニー本体の構造を採用することのできるバルコニーを提供する。【解決手段】取付具１０は、建物躯体１に対して当接固定される基部２０と、基部２０から突出するアーム部２１とを有すると共に、取付具１０は少なくとも水平方向に離隔する２本の柱２，２に対してそれぞれ設けられてバルコニー本体１１の両側部近傍を支持し、基部２０は建物躯体１を構成する柱２と梁３に渡るように当接固定され、アーム部２１は、少なくとも一部が柱２のうちバルコニー本体中央側の側面２ａよりもバルコニー本体１１の中央寄りとなるように配置されてなる。【選択図】図６
2014125783.tif 000002
【特許請求の範囲】
【請求項１】
柱の側面に梁が固定された建物躯体に固定される取付具と、該取付具に対して取付けら
れるバルコニー本体とを有したバルコニーにおいて、
前記取付具は、建物躯体に対して当接固定される基部と、該基部から突出するアーム部
とを有すると共に、前記取付具は少なくとも水平方向に離隔する２本の柱に対してそれぞ
れ設けられて前記バルコニー本体の両側部近傍を支持し、
前記基部は前記建物躯体を構成する柱と梁に渡るように当接固定され、前記アーム部は
、少なくとも一部が前記柱のうち前記バルコニー本体中央側の側面よりも前記バルコニー
本体の中央寄りとなるように配置されてなることを特徴とするバルコニー。
【請求項２】
前記アーム部は、上下中心線が前記基部の上下中心線よりも前記バルコニー本体の中央
寄りとなるように前記基部に対し偏芯配置されてなることを特徴とする請求項１記載のバ
ルコニー。
【請求項３】
前記アーム部は、全体が前記柱のうち前記バルコニー本体中央側の側面よりも前記バル
コニー本体中央寄りとなるように配置されてなることを特徴とする請求項１または２記載
のバルコニー。
【請求項４】
前記バルコニー本体は、前記取付具に対して挿入固定される梁部材と、該梁部材と平行
に配置され前記バルコニー本体の側部を構成するカバー状の妻梁部材とを有してなること
を特徴とする請求項１〜３のいずれか１項に記載のバルコニー。
【発明の詳細な説明】
【技術分野】
【０００１】
本発明は、建物の外側に取付けられる付設物としてのバルコニーに関し、特にバルコニ
ー本体を支持する取付具を建物の柱に対して固定するバルコニーに関する。
【背景技術】
【０００２】
住宅等の建物の外部に、付設物としてバルコニーが設けられることがある。バルコニー
は、床面を構成するバルコニー本体が取付具を介して建物に対して固定され、バルコニー
本体の周縁部には間柱が所定間隔毎に立設され、側面を構成する面材が間柱に対して取付
けられて構成される。
【０００３】
バルコニーの基本構造として、取付具を建物の柱に対して固定する柱芯納まり構造と、
取付具を建物の柱間に渡された梁に対して固定する胴差し納まり構造とがある。柱芯納ま
り構造を採用したバルコニーとしては、例えば特許文献１に挙げるようなものがある。
【先行技術文献】
【特許文献】
【０００４】
【特許文献１】特許第４３０７６９４号公報
【発明の概要】
【発明が解決しようとする課題】
【０００５】
胴差し納まり構造は、横方向に伸びる梁に取付具が固定されるので、取付具間の間隔を
柱間の間隔よりも小さくすることができ、取付具間に渡される部材を、両端部より中央寄
りで安定的に支持することができる。その一方で、梁に十分な強度が必要となる。柱芯納
まり構造は、梁の強度が小さくても取付具を建物に対し強固に固定することができるが、
取付具間の間隔が柱間の間隔となって広くなるため、取付具間に渡される部材の両端部を
支持することになり、バルコニー本体の強度を大きくする必要がある。
【０００６】
このように、柱芯納まり構造と胴差し納まり構造では、取付具による部材の支持間隔が
異なるため、バルコニー本体にそれぞれ強度の異なる部材を用いることとなり、部品の共
用化を図ることができなかった。特に、バルコニー本体の両側部に設けられる妻梁は、胴
差し納まり構造においては、バルコニー本体の側部を覆うカバー状で簡単な形状とするこ
とができるのに対し、柱芯納まり構造では、バルコニー本体の側部を覆うと共に、取付具
に対して挿入される梁部材としての機能も有していたため、複雑な形状となっていた。
【０００７】
本発明は前記課題を鑑みてなされたものであり、柱芯納まり構造でも胴差し納まり構造
と同様のバルコニー本体の構造を採用することのできるバルコニーを提供することを目的
とする。
【課題を解決するための手段】
【０００８】
前記課題を解決するため、請求項１の発明に係るバルコニーは、柱の側面に梁が固定さ
れた建物躯体に固定される取付具と、該取付具に対して取付けられるバルコニー本体とを
有したバルコニーにおいて、
前記取付具は、建物躯体に対して当接固定される基部と、該基部から突出するアーム部
とを有すると共に、前記取付具は少なくとも水平方向に離隔する２本の柱に対してそれぞ
れ設けられて前記バルコニー本体の両側部近傍を支持し、
前記基部は前記建物躯体を構成する柱と梁に渡るように当接固定され、前記アーム部は
、少なくとも一部が前記柱のうち前記バルコニー本体中央側の側面よりも前記バルコニー
本体の中央寄りとなるように配置されてなることを特徴として構成されている。
【０００９】
請求項１に係る発明によれば、アーム部の位置が建物躯体の柱よりもバルコニー本体の
中央寄りに配置されるため、柱芯納まり構造においてバルコニー本体を両側部より中央側
で支持できる。
【００１０】
また、請求項２の発明に係るバルコニーは、前記アーム部は、上下中心線が前記基部の
上下中心線よりも前記バルコニー本体の中央寄りとなるように前記基部に対し偏芯配置さ
れてなることを特徴として構成されている。
【００１１】
請求項２に係る発明によれば、基部を柱に固定しつつ、アーム部の位置をバルコニー本
体の中央位置寄りに大きくずらすことができる。
【００１２】
さらに、請求項３の発明に係るバルコニーは、前記アーム部は、全体が前記柱のうち前
記バルコニー本体中央側の側面よりも前記バルコニー本体中央寄りとなるように配置され
てなることを特徴として構成されている。
【００１３】
請求項３に係る発明によれば、アーム部をバルコニー本体のより中央寄りに配置するこ
とができる。
【００１４】
さらにまた、請求項４の発明に係るバルコニーは、前記バルコニー本体は、前記取付具
に対して挿入固定される梁部材と、該梁部材と平行に配置され前記バルコニー本体の側部
を構成するカバー状の妻梁部材とを有してなることを特徴として構成されている。
【００１５】
請求項４に係る発明によれば、妻梁部材と梁部材とを分けることができ、妻梁部材を単
純なカバー形状として形成することができる。
【発明の効果】
【００１６】
本発明に係るバルコニーによれば、柱芯納まり構造でも胴差し納まり構造と同様のバル
コニー本体の構造を採用できるので、バルコニー本体の支持強度を高くできると共に、妻
梁部材を単純なカバー形状とできるなど、構造を簡易化することができる。
【図面の簡単な説明】
【００１７】
【図１】本実施形態のバルコニーの断面図である。
【図２】図１と直交する角度で切断したバルコニーの断面図である。
【図３】バルコニー本体の分解斜視図である。
【図４】バルコニー本体に対する面材の取付状態を表した分解斜視図である。
【図５】建物躯体と取付具との分解斜視図である。
【図６】建物躯体に取付けられた取付具の正面図である。
【図７】建物躯体とバルコニー本体を連接する部分に設けられる取付具との分解斜視図である。
【発明を実施するための形態】
【００１８】
本発明の実施形態について図面に沿って詳細に説明する。図１には本実施形態のバルコ
ニーの断面図を、図２には図１と直交する角度で切断したバルコニーの断面図を、それぞ
れ示している。図１は、バルコニーを建物躯体１の面と平行な面で切断した断面図であり
、図２は、バルコニーを建物躯体１の面に対し垂直な面で切断した断面図である。
【００１９】
本実施形態のバルコニーは、建物の付設物として設けられるものであって、建物躯体１
を構成する柱２及び梁３に対して固定される取付具１０と、取付具１０に対して取付固定
される水平面状のバルコニー本体１１と、バルコニー本体１１の周縁部に所定間隔毎に立
設される複数の間柱１２と、間柱１２の外方を向く面に対して固定される複数の面材１３
とを有して構成される。以下、バルコニー本体１１のうち柱２及び梁３によって形成され
る建物躯体１の面側を後面側と、建物躯体１の面と反対側を前面側と、前面と後面の間の
両側を側面側と、それぞれ称する。なお、図１及び図２において、間柱１２は実際よりも
短く描かれている。
【００２０】
図１に示すように、取付具１０は、バルコニーの両端近傍に配置される。両側の取付具
１０には、それぞれ取付具１０の外形状よりも一回り大きい内形状を有した梁部材３０が
挿入される。梁部材３０は、後面側から前面側に向かう方向に伸び、バルコニー本体１１
を構成すると共に、その上部に設けられる床材３７の荷重を支えている。
【００２１】
バルコニー本体１１は、梁部材３０と床材３７の他、両側部をそれぞれ覆うように設け
られる妻梁部材３１と、梁部材３０間に所定間隔で配置される根太部材３２と、バルコニ
ー本体１１のうち建物躯体側と反対側の面を構成する前桁部材３３とを有している。バル
コニー本体１１を構成する床材３７は、建物躯体の面と両側の妻梁部材３１，３１及び前
桁部材３３に囲まれた方形状の領域を覆うように設けられる。床材３７の上面には、図２
に示すように、バルコニー本体１１の上面を構成する表面材３８がさらに設けられる。
【００２２】
バルコニー本体１１を構成する梁部材３０と根太部材３２は、図１に示すように、それ
ぞれ断面略方形状に形成されている。バルコニー本体１１の両側面にそれぞれ設けられる
妻梁部材３１は、バルコニー本体１１の側面となる側面構成部３１ａと、側面構成部３１
ａの内側に設けられる凹状の樋部３１ｃとを有している。樋部３１ｃは、床材３７の側部
より下方に配置されており、床材３７からの水を受けることができる。妻梁部材３１は、
後面側から前面側に向かってやや下方傾斜状となるように取付けられるため、樋部３１ｃ
で受けた水は前桁部材３３側に向かって流れていく。
【００２３】
図２に示すように、前桁部材３３は、バルコニー本体１１の前面となる前面構成部３３
ａと、前面構成部３３ａの下部室内側に設けられる凹状の樋部３３ｃとを有している。前
桁部材３３の樋部３３ｃは、妻梁部材３１の樋部３１ｃと連続すると共に、配水管３９が
接続されている。妻梁部材３１の樋部３１ｃからの水は前桁部材３３の樋部３３ｃに流れ
込み、さらに前桁部材３３の樋部３３ｃから配水管３９を介してバルコニー外部に排水さ
れる。
【００２４】
間柱１２は、妻梁部材３１の上面３１ｂまたは前桁部材３３の上面３３ｂに対してネジ
止め固着されていて、バルコニー本体１１の妻梁部材３１が設けられる両側面側辺と前桁
部材３３が設けられる前面側辺において、所定間隔毎に間柱１２が配置される。なお、図
１及び図２においては、間柱１２に対して固定される面材１３は省略している。
【００２５】
図３には、バルコニー本体１１の分解斜視図を示している。２本の梁部材３０，３０は
、それぞれ後面側から前面側に向かう方向に沿って配置されている。図中奥側の梁部材３
０は、取付具１０に対する挿入途中の状態が表されている。両側の梁部材３０，３０間に
設けられる複数の根太部材３２は、所定間隔毎に梁部材３０と平行となるように配置され
、一端面が建物躯体に、他端面が前桁部材３３に、それぞれ固定される。建物躯体側端部
には、両側の梁部材３０，３０間を渡すように根太掛けカバー３５が設けられ、根太部材
３２の建物躯体側端部の上面を覆う。
【００２６】
バルコニー本体１１両側の妻梁部材３１も、それぞれ梁部材３０と平行となるように配
置される。前桁部材３３は、梁部材３０と直交する方向に沿うように配置されて、後面側
の面に梁部材３０と妻梁部材３１及び根太部材３２が固定される。そして、両側の妻梁部
材３１と前桁部材３３によって建物躯体の外方に形成された領域に、床材３７が載置され
る。
【００２７】
図４には、バルコニー本体１１に対する面材１３の取付状態を表した分解斜視図を示し
ている。バルコニー本体１１を形成したら、その上面には前述のように複数の間柱１２が
立設される。間柱１２の上端部を渡すように、手摺１４も取付けられる。そして、間柱１
２の外方から面材１３が取付固定される。
【００２８】
面材１３は、隣り合う間柱１２間の距離と同じ幅かそれよりも幅広となるように形成さ
れている。面材１３はバルコニー本体１１の外方から間柱１２に対して取付けられ、外面
１３ａがバルコニー本体１１の外方に露出する。間柱１２に対して取付けられる取付面１
３ｂには、上下方向に沿って断面略コ字状のスペーサー部材１３ｃが設けられており、こ
のスペーサー部材１３ｃが間柱１２に対して当接し、ネジ止め固定される。
【００２９】
次に、建物躯体１に対する取付具１０の固定構造について説明する。図５には、建物躯
体１と取付具１０との分解斜視図を示している。建物躯体１は、縦方向に伸びる柱２と、
柱２の間を渡すように設けられる梁３とを有している。取付具１０は、建物躯体１に対し
て当接固定される平面状の基部２０と、基部２０から建物躯体１の外方に向かって突出す
る断面略コ字状のアーム部２１とで構成されている。基部２０は、建物躯体１の柱２と梁
３の両方に渡るように取付けられる。また、バルコニー本体１１を構成する梁部材３０は
、アーム部２１を挿入されることで固定される。
【００３０】
図６には、建物躯体１に取付けられた取付具１０の正面図を示している。取付具１０を
構成するアーム部２１は、バルコニー本体１１の中央側の側面となる平面状の中央側面２
１ｂと、バルコニー本体１１の側部側の側面となる断面略コ字状の両端部により形成され
た側部面２１ｃとを有している。また、柱２は、梁３が連結される側面２ａを有している
。
【００３１】
図６には、方形状に形成された基部２０の上下中心線２０ａと、断面略コ字状に形成さ
れたアーム部２１の上下中心線２１ａとを破線で示している。アーム部２１の上下中心線
２１ａは、基部２０の上下中心線２０ａよりもバルコニー本体１１の中央寄りとなってお
り、アーム部２１は基部２０に対して偏芯配置されている。
【００３２】
アーム部２１のうち中央側面２１ｂは、柱２のうちバルコニー本体１１中央側の側面２
ａよりもバルコニー本体１１の中央寄りとなるように配置され、アーム部２１のうち側部
面２１ｃも、柱２のうちバルコニー本体１１中央側の側面２ａよりも梁３側寄りとなるよ
うに配置されている。すなわち、本実施形態においてアーム部２１は、建物躯体１に対す
る投影面が柱２とは重ならず、水平方向において全て梁３側の領域に含まれるように配置
される。
【００３３】
図６では一方側の取付具１０について表しているが、反対側の取付具１０においても、
アーム部２１の建物躯体１に対する投影面が、水平方向において梁３側の領域にかかるよ
うに配置され、両方のアーム部２１，２１間の距離が柱２間の距離よりも短くなるように
配置される。このように、アーム部２１間の距離が柱２間の距離よりも短くなるので、柱
２間の距離に合わせて形成された床材３７を、両端部よりも中央寄りの位置で支持するこ
とになる。これにより、両端部で支持される場合に比べて床材３７にかかる曲げモーメン
トが小さくなるので、床材３７の強度が小さくても荷重に耐えられるようにすることがで
きる。
【００３４】
また、アーム部２１の位置がバルコニー本体１１の両側部よりも中央寄りに配置される
ため、アーム部２１を挿入させる梁部材３０には通常の部材を用いて、妻梁部材３１に梁
部材３０の機能を持たせる必要がない。したがって、妻梁部材３１はバルコニー本体１１
の側面部分を構成するカバー状の簡易な形状とすることができ、複雑な部品形状とする必
要がないので、部品の製造コストを低減でき、また、胴差し納まり構造のバルコニーと部
品を共用化することもできる。
【００３５】
本実施形態では、両側のアーム部２１，２１間の距離をできるだけ小さくするように、
アーム部２１の建物躯体１に対する投影面が、全て梁３側の領域に含まれるように、アー
ム部２１を配置しているが、アーム部２１は少なくとも中央側面２１ｂが、柱２のうちバ
ルコニー本体１１の中央側の側面２ａよりもバルコニー本体１１の中央寄りとなるように
配置されていればよい。すなわち、アーム部２１の建物躯体１に対する投影面が、柱２か
ら梁３側に少しでも出ていればよく、これによって、両側のアーム部２１，２１間の距離
を小さくすることができる。
【００３６】
本実施形態では隣接する２本の柱２，２間に１つのバルコニー本体１１を取付ける例に
ついて示したが、３本以上の柱間にそれぞれバルコニー本体１１を連設することもできる
。この場合にも、バルコニー本体１１を構成する部材は概ね共通し、バルコニー本体１１
の連設部分には、妻梁部材３１の代わりに連結部材が設けられる。
【００３７】
バルコニー本体１１の連設部分に設けられる取付具１５は、図５に示したものとは異な
り、隣接するバルコニー本体１１それぞれの梁部材３０を支持できるように形成される。
図７には、建物躯体１とバルコニー本体１１を連接する部分に設けられる取付具１５との
分解斜視図を示している。バルコニー本体１１を連設するには、柱２の両側にそれぞれ梁
３，３が連結されている必要があり、柱２は、一方のバルコニー本体１１中央側の側面２
ａと、他方のバルコニー本体１１中央側の側面２ｂとを有している。
【００３８】
連設用の取付具１５は、基部２５から第１アーム部２６と第２アーム部２７とが突出す
るように形成されている。基部２５は、一方の梁３から柱２及び他方の梁３に渡る大きさ
を有して形成されており、柱２と両側の梁３，３に当接固定される。
【００３９】
第１アーム部２６は、断面略コ字状に形成されて、平面状の中央側面２６ａと、断面略
コ字状の両端部により形成される側部面２６ｂとを有している。第２アーム部２７も、断
面略コ字状に形成されて、平面状の梁側側面２７ａと、断面略コ字状の両端部により形成
される柱側側面２７ｂとを有している。
【００４０】
第１アーム部２６は、中央側面２６ａと側部面２６ｂの両方が、柱２の側面２ａよりも
一方のバルコニー本体１１の中央寄りとなるように配置されている。すなわち、第１アー
ム部２６の建物躯体１に対する投影面は、柱２とは重ならず、水平方向において全て梁３
側の領域に含まれるように配置される。また、第２アーム部２７も、梁側側面２７ａと柱
側側面２７ｂの両方が、柱２の側面２ｂよりも他方のバルコニー本体１１の中央寄りとな
るように配置されている。すなわち、第２アーム部２７の建物躯体１に対する投影面は、
柱２とは重ならず、水平方向において全て梁３側の領域に含まれるように配置される。
【００４１】
このように、バルコニー本体１１連設用の取付具１５においては、左右両側に設けられ
る第１アーム部２６と第２アーム部２７が、それぞれ支持するバルコニー本体１１の中央
寄りに配置されることで、連設されるバルコニー本体１１は、図３等に示したものと同様
の構造とすることができ、取付具１５は、バルコニー本体１１をその両端よりも中央寄り
の位置で支持する構造とすることができる。
【００４２】
以上、本発明の実施形態について説明したが、本発明の適用は本実施形態には限られず
、その技術的思想の範囲内において様々に適用されうるものである。
【符号の説明】
【００４３】
１    建物躯体
２    柱
３    梁
１０    取付具
１１    バルコニー本体
１２    間柱
１３    面材
１４    手摺
２０    基部
２１    アーム部
２１ｂ  梁側側面
２１ｃ  柱側側面
３０    梁部材
３１    妻梁部材
３２    根太部材
３３    前桁部材
３４    横樋部材
３５    根太掛けカバー
３６    雨樋カバー
３７    床材
３８    表面材
【図１】
2014125783.tif 000003
【図２】
2014125783.tif 000004
【図３】
2014125783.tif 000005
【図４】
2014125783.tif 000006
【図５】
2014125783.tif 000007
【図６】
2014125783.tif 000008
【図７】
2014125783.tif 000009